(57)【要約】【課題】  フィラメントを少なくとも２本のストランドに集束させ、且つ連続型の巻き取り機にて巻き取った場合の糸切れが少なく、高い生産性でストランドを製造することができるストランドの巻き取り方法を提供すること。【解決手段】  ストランドをコレットに巻き始める準備段階、または上記ストランドの巻き取りが第一のコレットから第二のコレットに移行する際、前記第二のシューをコレットの先端方向に移動させることを特徴とするガラスストランドの巻き取り方法。【選択図】  図５
2005280959.tif 000002
【特許請求の範囲】
【請求項１】
溶融ガラスを収納しているブッシング（１）のノズルから多数のガラスフィラメント（２）を引き出し、該引き出された多数のフィラメントを少なくとも２本のガラスストランド（３，３’）に第一のシュー（４，４’）で集束する過程と、
該第一のシュー（４，４’）で集束された少なくとも２本のストランド（３，３’）を第二のシュー（５，５’）を経由して、巻き取り装置（６）に供給する過程と、
上記少なくとも２本のストランド（３，３’）を巻き取り装置（６）の第一のコレット（７）に所定量巻き取る過程と、
満巻きされた第一のコレット（７）が巻き取り位置から退避するとともに、第二のコレット（８）が巻き取り位置に配置され、該第二のコレット（８）に上記ストランド（３，３’）を巻き取る過程とを有するガラスストランドの巻き取り方法において、
前記ストランド（３，３’）をコレットに巻き始める準備段階、または上記ストランドの巻き取りが第一のコレット（７）から第二のコレット（８）に移行する際、前記第二のシュー（５）をコレット（７または８）の先端方向に移動させることを特徴とするガラスストランドの巻き取り方法。
【請求項２】
前記第二のシュー（５）をコレット（７または８）に対して平行にスライドさせ、該スライドの距離（ｈ２）をストランドの１つの巻き幅（ケーキまたは紙管の幅ｈ１）の３０〜７５％とする請求項１に記載のガラスストランドの巻き取り方法。
【請求項３】
第二のシュー（５）とコレット（７または８）との間にあるストランドの垂直に対する角度（α）を２０°以下とする請求項１に記載のガラスストランドの巻き取り方法。
【発明の詳細な説明】
【技術分野】
【０００１】
本発明は、ガラスストランド（以下単に「ストランド」という）の巻き取り方法に関し、さらに詳しくはストランドをコレットに巻き取る際に糸切れの発生が顕著に抑制されるストランドの巻き取り方法に関する。
【背景技術】
【０００２】
従来、ストランドは、溶融ガラスをブッシングから引き出し、引き出された多数本のガラスフィラメント（以下単に「フィラメント」という）を集束して、巻き取り装置において回転している巻き取りコレットに巻き取り、ケーキとされている。このようなフィラメントの巻き取り機としてはコレットが１個であるシングル型とコレット２個が自動的に反転する連続型のものが採用されている。また、フィラメントを１本のストランドに集束して１つのケーキを巻き取る方法およびフィラメントを２本のストランドに集束して２つのケーキを巻き取る方法、およびフィラメントをさらに多数のストランドに集束して、多数のケーキを巻取る方法が知られている。例えば、特許文献１には１本のストランドを２個のコレットに巻き取る連続型の巻き取り機を使用するストランドの巻き取り方法が記載されている。
【特許文献１】特開平８−３０１５２１号公報
【発明の開示】
【発明が解決しようとする課題】
【０００３】
フィラメントを１本のストランドに集束して巻き取る方法は、巻き取り時に糸切れが発生することは少ないが、フィラメントを少なくとも２本のストランドに集束して、しかも連続型の巻き取り機により巻き取る方法は生産性が高いものの、糸切れの頻度が高く、該方法の生産性の向上を著しく阻害している。
従って、本発明の目的は、フィラメントを少なくとも２本のストランドに集束させ、且つ連続型の巻き取り機にて巻き取った場合の糸切れが少なく、高い生産性でケーキを製造することができるストランドの巻き取り方法を提供することである。
【課題を解決するための手段】
【０００４】
上記目的は以下の本発明によって達成される。すなわち、本発明は、溶融ガラスを収納しているブッシング（１）のノズルから多数のガラスフィラメント（２）を引き出し、該引き出された多数のフィラメントを少なくとも２本のガラスストランド（３，３’）に第一のシュー（４，４’）で集束する過程と、該第一のシュー（４，４’）で集束された少なくとも２本のストランド（３，３’）を第二のシュー（５，５’）を経由して、巻き取り装置（６）に供給する過程と、上記少なくとも２本のストランド（３，３’）を巻き取り装置（６）の第一のコレット（７）に所定量巻き取る過程と、満巻きされた第一のコレット（７）が巻き取り位置から退避するとともに、第二のコレット（８）が巻き取り位置に配置され、該第二のコレット（８）に上記ストランド（３，３’）を巻き取る過程とを有するガラスストランドの巻き取り方法において、前記ストランド（３，３’）をコレットに巻き始める準備段階、または上記ストランドの巻き取りが第一のコレット（７）から第二のコレット（８）に移行する際、前記第二のシュー（５）をコレット（７または８）の先端方向に移動させることを特徴とするガラスストランドの巻き取り方法を提供する。
【０００５】
上記本発明においては、前記第二のシュー（５）をコレット（７または８）に対して平行にスライドさせ、該スライドの距離（ｈ２）をストランドの１つの巻き幅（ケーキまたは紙管の幅ｈ１）の３０〜７５％とすること；および第二のシュー（５）とコレット（７または８）との間にあるストランドの垂直に対する角度（α）を約２０°以下とすることが好ましい。
【発明の効果】
【０００６】
本発明によれば、巻き取り開始時、または少なくとも２個のコレットの交代時における第二のシューとコレットの巻き取り位置との間のストランドの角度を緩和させることで、フィラメントを少なくとも２本のストランドに集束させ、且つ連続型の巻き取り機にて巻き取った場合の糸切れが少なく、高い生産性でケーキを製造することができる。
【発明を実施するための最良の形態】
【０００７】
次に図面に示す発明を実施するための最良の形態により本発明をさらに詳しく説明する。
本発明の方法では、先ず、図１および図１の矢視側面図である図２に示すように、従来技術と同様に、溶融ガラスを収納しているブッシング１のノズルから多数のフィラメント２を引き出す。該引き出された多数のフィラメントをアプリケーター９において集束剤を付与した後、２本のストランド３，３’をそれぞれ第一のシュー（集束機）で集束する。該集束された２本のストランド３，３’を第二のシュー（ストランド分配機）５，５’を経由して、巻き取り装置６に供給する。
【０００８】
巻き取り装置６には、図２に示すように、回転するタレットヘッド１０を介して２個のコレット７，８は一般的に水平に設けられていることが多く、第二のシュー５，５’の下方に位置するコレット７の表面に配置された２個の紙管（またはプラスチック管、図５の符号１６）上に巻き取られる。ストランド３，３’の巻き量が所定の量に達すると、図３および図４に示す如く、従来技術と同様に、糸ガイド移動手段１２を構成している糸ガイド１３が２本のストランド３，３’をコレット７の先端に形成されているＶ字溝１４内に導びく。この時の第二のシュー５，５’とコレット７との間にあるストランド３，３’の垂直に対する角度は、αが約２５〜３５°、βが約５〜１５°となっている。
【０００９】
上記のストランドの位置（Ｖ字溝内）において、タレットヘッド１０を図３の矢印にて示す方向に回転させると、図６に示すように満巻きされたコレット７は、巻き取り位置から退避して、第二のコレット８が巻き取り位置に配置され、２本のストランド３，３’は第二のコレット８の先端に設けられているＶ字溝に移行する。その後糸ガイド１３が後退すると、図７および図８に示すように、ストランド３，３’はコレット８に連続的に巻き取られ始まる。
【００１０】
本発明は、以上の如きストランドの巻き取り方法において、図５に示すように、ストランド３，３’をコレット７（または８）に巻き始める準備段階、または上記ストランド３，３’の巻き取りが第一のコレット７から第二のコレット８に移行する際、前記第二のシュー５をコレット７の先端方向に水平移動させることを特徴としている。第二のシュー５は、コレット７に対して平行に移動し、その移動距離（ｈ２）はストランドの１つの巻き幅（ケーキ１１または紙管１６の幅（ｈ１））の３０〜７５％の範囲が好ましい。また、別の観点からは、第二のシュー５’とコレット７（または８）との間にあるストランド３’の角度βは大きくは変化しないので角度βについては特に注意することはないが、特にストランド３の角度αが約２０°以下、好ましくは約５〜１８°になるように第二のシュー５を移動させることが好ましい。上記角度αが２０°よりも大であるとストランド３にかかるストレスが大きくなり、ストランド３の糸切れを十分には抑制することができない。また、上記角度αを上記範囲内にすることで糸切れを十分に解消できるので、角度αを５°未満にしても特別の利益はない。
【００１１】
第一のシュー４，４’はフィラメントを集束させてストランド３，３’を形成し、第二のシュー５，５’はストランド３，３’を、該ストランドが巻かれるコレット７（または８）の中央に導く作用を有するものであり、従来技術ではコレット７（または８）の最高点から上方約１００〜１５０ｃｍの距離の位置に固定されていた。本発明において第二のシュー５を水平に且つコレット７または８の先端方向にスライド可能にする方法はいずれの方法でもよく、例えば、上記において第二のシュー５は、糸ガイド１３の移動と同時に移動させることが好ましく、該移動にはエアシリンダーを使用するのが一般的であるが、ギヤ、ばね、その他の移動方法のいずれの方法でもよい。
【００１２】
以上の如くコレットにストランドを最初に巻つける際、作業者はコレットの前でストランドをコレットのＶ字溝に手作業で巻つけるが、この時、ストランドは糸ガイドによって作業者の近くにくるので巻つけ作業が容易になる。また、一方のコレットにストランドが満巻きされ、次のコレットにストランドが巻つけられる際、糸ガイドによって誘導されたストランドの第二のシューを経由する角度が小さくなることから、ストランドに対するストレスが緩和され、その結果ストランドの糸切れが解消される。
【００１３】
以上の説明では、フィラメントを２本のストランドに集束して巻き取る場合を例示して、本発明を説明したが、本発明は、フィラメントを３本以上のストランドに集束して巻き取る場合も包含する。
【実施例】
【００１４】
次に実施例および比較例を挙げて本発明をさらに具体的に説明する。
比較例１（改善前）
図１〜４に示す従来の巻き取り装置（フィラメント引き出し本数４，８００本、フィラメトを２本のストランドに集束、１個のケーキ幅４２０ｍｍ、ストランドの巻き取り速度１，８００ｍ／ｍｉｎ．、α＝２６°、β＝１０°）を使用し、ストランドが第一のコレットに満巻きされた後、第二コレットに移行させる一連の動作を、巻き始めから１２時間行なった回数（２０回）を測定し、その間の糸切れ回数から糸切れ率を求めたところ、糸切れ率は４０％であった。
【００１５】
実施例１（改善後）
図１〜４に示す従来の巻き取り装置の第二のシューをコレットの先端方向に平行移動できるように改善した装置を用いて比較例１と同様にしてストランドを巻き取った。この際、図５に示す第二のシューの移動距離（ｈ２）を１５０ｍｍとし、ストランドの角度（α）を２０°とした。その結果、糸切れ率は１０％に改善された。
【００１６】
実施例２（改善後）
実施例１において、第二のシューの移動距離（ｈ２）を２７０ｍｍとし、ストランドの角度（α）を１５°とした以外は実施例１と同様にしてストランドを巻き取った。その結果、糸切れ率は０％に改善された。
【００１７】
上記の通り従来の方法である比較例１は、実施例に比べて糸切れ率が高く、巻き取り操作はたびたび中断され、その回復に長い時間を要した。比較例における糸切れは第二のシューおよび糸ガイドで多く発生し、特に時間の経過につれて第二のシューでの糸切れが多発した。この第二のシューを作業完了後に取り出してみたところ多くの傷が認められた。これに対して実施例では角度αを小さくすることで糸切れ率が顕著に改善され、巻き取りの生産性が飛躍的に向上した。
【産業上の利用可能性】
【００１８】
上記本発明によれば、フィラメントを少なくとも２本のストランドに集束させ、且つ連続型の巻き取り機にて巻き取った場合に糸切れが少なく、高い生産性でケーキを製造することができるストランドの巻き取り方法を提供することができる。
【図面の簡単な説明】
【００１９】
【図１】従来方法を説明する図。
【図２】従来方法を説明する図。
【図３】従来方法を説明する図。
【図４】従来方法を説明する図。
【図５】本発明の方法を説明する図。
【図６】本発明の方法を説明する図。
【図７】本発明の方法を説明する図。
【図８】本発明の方法を説明する図。
【符号の説明】
【００２０】
１：ブッシング
２：フィラメント
３，３’：ストランド
４，４’：第一のシュー
５，５’：第二のシュー
６：巻き取り装置
７，８：コレット
９：アプリケーター
１０：タレットヘッド
１１：ケーキ
１２：糸ガイド移動手段
１３：糸ガイド
１４：Ｖ字溝
１５：綾振り装置
１６：紙管
【図１】
2005280959.tif 000003
【図２】
2005280959.tif 000004
【図３】
2005280959.tif 000005
【図４】
2005280959.tif 000006
【図５】
2005280959.tif 000007
【図６】
2005280959.tif 000008
【図７】
2005280959.tif 000009
【図８】
2005280959.tif 000010